(57)【要約】      （修正有）【課題】機械式時計の調速機構において、ひげぜんまいを傾くことなく適正な位置に固定することができ、信頼性が高く、安定した高い時計精度の機械式時計を達成するひげぜんまい及びその製造方法を提供する。【解決手段】回転軸体と嵌合するための貫通孔３ａを有するひげ玉３と、ひげ玉３と接続し、貫通孔を３ａ中心にしてひげ玉３に巻回されるコイル形状のぜんまい部２と、ぜんまい部２の端部に設けるひげ持４と、を有し、ひげ持の一平面に溝部７を有し、溝部７を有する一平面４ａの部分に接着剤を設けて、他部品と接着する。【選択図】図１
2015179071.tif 000002
【特許請求の範囲】
【請求項１】
所定の材料を主成分とし、ひげ持で他部品と接着するひげぜんまいの製造方法であり、
前記所定の材料を主成分とする基板の前記ひげ持となる所定の部分に溝部を形成する工程と、
前記基板をエッチングし、回転軸体と嵌合するための貫通孔を有するひげ玉と、前記ひげ玉と接続し、前記貫通孔を中心にして前記ひげ玉に巻回されるコイル形状のぜんまい部と、前記ぜんまい部の端部に設ける前記ひげ持と、を有する前記ひげぜんまいを形成するエッチング工程と、
前記溝部を有する前記ひげ持の一平面に前記接着剤を配置し、他部品と接着する工程と、
を有することを特徴とするひげぜんまいの製造方法。
【請求項２】
前記所定の材料はシリコンであることを特徴とする請求項１に記載のひげぜんまいの製造方法。
【請求項３】
回転軸体と嵌合するための貫通孔を有するひげ玉と、前記ひげ玉と接続し、前記貫通孔を中心にして前記ひげ玉に巻回されるコイル形状のぜんまい部と、前記ぜんまい部の端部に設けるひげ持と、を有するひげぜんまいであって、
前記ひげ持の一平面に溝部を有し、
前記溝部を有する一平面の部分に接着剤を設けて、他部品と接着されている
ことを特徴とするひげぜんまい。
【請求項４】
前記ひげぜんまいは、シリコンで形成されている
ことを特徴とする請求項３に記載のひげぜんまい。
【請求項５】
前記溝部は、前記ひげ持の前記一平面からこれと対向する他平面まで貫通している
ことを特徴とする請求項３又は４に記載のひげぜんまい。
【請求項６】
前記溝部は、前記ひげ持の前記一平面に複数設け、互いに溝部の深さが異なる
ことを特徴とする請求項３又は４に記載のひげぜんまい。
【請求項７】
前記溝部は、幾何学模様又は文字を構成している
ことを特徴とする請求項３から６のいずれか１つに記載のひげぜんまい。
【発明の詳細な説明】
【技術分野】
【０００１】
本発明は、機械式時計用のひげぜんまいとその製造方法とに関する。
【背景技術】
【０００２】
従来の機械式時計においては、機械の運転を規則正しく一定の速度に保つために、ひげぜんまいとてん輪（てん真付）とで構成される調速機（てんぷ）が使われている。等時性のあるひげぜんまいの伸縮によりてん輪が規則正しく往復回転運動を行う。
【０００３】
てんぷには、がんぎ車とアンクルとで構成される脱進機という機構が接続されており、ぜんまいからエネルギーが伝達されて、振動を持続するようになっている。
【０００４】
知られているひげぜんまいは、金属を加工して形成する場合が多い。このため、その加工精度のばらつきや金属が有する内部応力の影響などによって、設計通りの形状が得られない場合がある。
【０００５】
ひげぜんまいは規則的にてんぷを振動させる必要があるから、設計通りの形状が得られないとてん輪も等時性のある運動ができなくなり、時計の歩度ずれが生じてしまう。時計の歩度とは、一日あたりの時計の進み又は遅れの程度を示すものである。
【０００６】
ところで近年、シリコン基板をエッチング加工することによって時計部品を製造する試みがなされている。従来の金属部品を用いる時計部品の製造に比べ軽量にできるという利点と、安価で大量生産ができる利点とがあると言われている。これにより、小型軽量の時計を製造することができると期待されている。
【０００７】
シリコン基板をエッチングする際、近年ではドライエッチング技術である反応性イオンエッチング（Ｒｅａｃｔｉｖｅ  Ｉｏｎ  Ｅｔｃｈｉｎｇ：ＲＩＥ）技術が進歩してきた。中でも、深掘りＲＩＥ（Ｄｅｅｐ  ＲＩＥ）技術が開発され、アスペクト比が高いエッチングが可能になってきた。
【０００８】
この技術によると、エッチングがフォトレジストなどでマスクした部分の下に回り込まないために、垂直深さ方向にマスクパターンを忠実に再現できるようになり、シリコン基板をエッチングする際に、時計部品を設計通りの形状で精度よく製造することが可能となってきた。
【０００９】
そもそもシリコンは、金属よりも温度特性がよい。従来のひげぜんまいの材料として用いられる金属よりも環境温度に対して変形しにくいという特徴がある。このことから、時計の調速機構にもこの技術を応用することが考えられている（例えば、特許文献１参照。）。
【００１０】
このようにして製造されたひげぜんまいは、一方の端部のひげ玉に空けられた貫通穴にてん真を差し込んで勘合させ、他方の端部のひげ持は、ひげ持固定部品に接着剤で固定される。
【００１１】
そして、そのような用途に用いることができる接着剤も多くの提案をみるものである（例えば、特許文献２参照。）。
【先行技術文献】
【特許文献】
【００１２】
【特許文献１】特開２００７−２５６２９０号公報（第４頁、図２）
【特許文献２】特開２００４−７５８３２号公報（第２頁〜第４頁）
【発明の概要】
【発明が解決しようとする課題】
【００１３】
しかし、特許文献１に示した従来技術に開示されているひげぜんまいをひげ持固定部品に固定する際に、ひげぜんまいとひげ持固定部品とが適正な位置に固定できないことが多かった。すなわち、ひげぜんまいが所定の位置からずれて固定されたり、傾いて固定されたりすることが多々あった。それは、特許文献２に示した接着剤を用いたとしても、同様である。
【００１４】
ひげぜんまいが所定の位置からずれたり傾いたりして固定されると、周囲の他部品と接触して破損してしまうという課題が生じてしまう。また、ひげぜんまいに不必要な応力がかかり、等時性のあるひげぜんまいの伸縮ができなくなり、所定の振動数が得られなくなってしまうといった課題も生じてしまう。
【００１５】
これらの問題は、ひげぜんまいのひげ持のひげ持固定部品との当接面がフラットな形状であるために生じるものである。
このため、ひげぜんまいの位置ずれや傾きは、接着剤の塗布量が多くなると顕著になる傾向になる。したがって、接着剤の塗布量の管理も難しくなり、生産性も低下させていた。
【００１６】
本発明の目的は、上記従来技術の課題に鑑み、機械式時計の調速機構において、傾くことなく適正な位置に固定することができるひげぜんまい及びその製造方法を提供することである。
【課題を解決するための手段】
【００１７】
前述した目的を達成するための本発明におけるひげぜんまいは、以下の製造方法を採用する。
【００１８】
所定の材料を主成分とし、ひげ持で他部品と接着するひげぜんまいの製造方法であり、所定の材料を主成分とする基板のひげ持となる所定の部分に溝部を形成する工程と、基板をエッチングし、回転軸体と嵌合するための貫通孔を有するひげ玉と、ひげ玉と接続し、貫通孔を中心にしてひげ玉に巻回されるコイル形状のぜんまい部と、ぜんまい部の端部に設けるひげ持と、を有するひげぜんまいを形成するエッチング工程と、溝部を有するひげ持の一平面に接着剤を配置し、他部品と接着する工程と、を有することを特徴とする。
【００１９】
このような製造方法によれば、ひげぜんまいを適正な位置に傾くことなく固定させることができる。
【００２０】
また、所定の材料はシリコンであるのがよい。
【００２１】
シリコンであれば、半導体の製造に用いられているドライエッチング技術を用いて、非常に微細で深い溝を形成することができ、ひげぜんまいのひげ持のように非常に狭い領域にも溝を形成することができる。
【００２２】
前述した目的を達成するための本発明におけるひげぜんまいは、以下の構成を採用する。
【００２３】
回転軸体と嵌合するための貫通孔を有するひげ玉と、ひげ玉と接続し、貫通孔を中心にしてひげ玉に巻回されるコイル形状のぜんまい部と、ぜんまい部の端部に設けるひげ持と、を有するひげぜんまいであって、ひげ持の一平面に溝部を有し、溝部を有する一平面の部分に接着剤を設けて、他部品と接着されていることを特徴とする。
【００２４】
ひげ持に溝部を形成することで、溝部に接着剤が入り込むので、接着剤が横流れすることによってひげぜんまいが接着剤に引っ張られ移動してしまうこともなく、ひげぜんまいを適正な位置に固定させることができる。
【００２５】
また、ひげぜんまいは、シリコンで形成されているのがよい。
【００２６】
シリコンであれば、半導体の製造に用いられているドライエッチング技術を用いて、非常に微細で深い溝を形成することができ、ひげぜんまいのひげ持のように非常に狭い領域にも溝を形成することができる。
【００２７】
また溝部は、ひげ持の一平面からこれと対向する他平面まで貫通してもよい。
【００２８】
溝が貫通していると、他平面側から接合面である一平面に向けて接着剤を供給することができ、生産性が向上する。
【００２９】
また溝部は、ひげ持の一平面に複数設け、互いに溝部の深さが異なるようにしてもよい。
【００３０】
例えば、深さが浅い溝部を接着用にし、深さが深い溝部をマークや文字の形状としてこれを情報の認識用に用いることができる。
【００３１】
また溝部は、幾何学模様又は文字を構成しているようにしてもよい。
【００３２】
溝部の形状を、幾何学模様や文字、それらを組み合わせたものとし、例えば、型式番号や製造番号のようにひげぜんまいの仕様などを示す情報や、意味のあるものとしておけば、組み立ての際などに目視等でそれらを認識できて便利である。
【発明の効果】
【００３３】
ひげぜんまいを適正な位置にずれたり傾いたりすることなく固定させることができるので、周囲の他部品と接触することがなくなり破損がなくなる。
さらには、ひげぜんまいが適正な位置に固定されることで、ひげぜんまいに不要な応力がかからず、設計通りの所望の振動数を安定して得られるようになる。
【図面の簡単な説明】
【００３４】
【図１】本発明の第１の実施形態であるひげぜんまいの構成を説明する平面図である。
【図２】本発明の第１の実施形態であるひげぜんまいの要部を詳細に説明する拡大断面図である。
【図３】本発明の第１の実施形態であるひげぜんまいのひげ持とひげ持固定部品との接着状態と、従来のひげぜんまいのひげ持とひげ持固定部品との接着状態を詳細に説明する拡大断面図である。
【図４】本発明の第２の実施形態であるひげぜんまいの要部を詳細に説明する拡大断面図である。
【図５】本発明の第２の実施形態であるひげぜんまいのひげ持とひげ持固定部品との接着状態を詳細に説明する拡大断面図である。
【図６】本発明の第３の実施形態であるひげぜんまいの第１の製造方法を説明する断面図であって、溝部を形成する工程までを説明する図である。
【図７】本発明の第３の実施形態であるひげぜんまいの第１の製造方法を説明する断面図であって、ひげぜんまい形状を形成する工程までを説明する図である。
【図８】本発明の第３の実施形態であるひげぜんまいの第１の製造方法を説明する断面図であって、ひげ持固定部品に接着する工程を説明する図である。
【図９】本発明の第３の実施形態であるひげぜんまいの第２の製造方法を説明する断面図であって、溝部を形成する工程を説明する図である。
【図１０】本発明の第３の実施形態であるひげぜんまいの第３の製造方法を説明する断面図であって、貫通している溝部を形成する工程を説明する図である。
【図１１】本発明の第３の実施形態であるひげぜんまいの第３の製造方法を説明する断面図であって、ひげ持固定部品に接着する工程を説明する図である。
【発明を実施するための形態】
【００３５】
ひげぜんまいは、回転軸体と嵌合するための貫通孔を有するひげ玉と、ひげ玉と接続し、貫通孔を中心にしてひげ玉に巻回されるコイル形状のぜんまい部と、ぜんまい部の端部に設けるひげ持とを有し、ひげ持の一平面に溝部が形成されている。ひげ持の溝部を有する一平面の部分に接着剤を設けて、他部品であるひげ持固定部品と接着される。
【００３６】
ひげ持に設ける溝部に接着剤が入り込むことにより、接着剤が横流れしなくなる。溝部に入り込んだ接着剤は、ひげ持をひげ持固定部品との接着面側に引っ張るようになるため、ひげぜんまいの位置ずれや傾きを起こさないのである。
【００３７】
また、溝部に接着剤が入り込むため、塗布する接着剤の量が多少増えても、位置ずれや傾きを生じにくくすることもできる。
【００３８】
このように、ひげぜんまいの特徴的な部分である、ひげ持部分設ける溝部は、その形状を、平面視で矩形や円形で構成することができる。また、ひげ玉との位置関係などに鑑みて、ひげぜんまいの伸縮運動に掛り、ひげ持がひげ玉方向に引かれる力を受けた際に、それに抗うような形状とすることもできる。
【００３９】
ひげ持に設ける溝部は、さまざまな形状とすることができるが、大切なことは、ひげ持のひげ持固定部品との当接面がフラットな形状にならなくするという点である。このようにすれば、接着剤とひげ持との接触面積も増え、ひげ持固定部材との固定力も増す。
【００４０】
以下、ひげぜんまいについて、図面を参照して詳細に説明する。
説明にあっては、最初に機械部品の構造を、第１及び第２の実施形態として説明し、次いで製造方法を、第３の実施形態として説明する。
【００４１】
まず、第１の実施形態として、図１と図２とを用いてひげぜんまいの概略の構成を説明し、次に、図３を用いてひげぜんまいの接着部の詳細な構成と、知られている従来のひげぜんまいの接着部の構成とを比較して説明する。
次に、第２の実施形態として、図４を用いてひげ持に貫通している溝部を設けたひげぜんまいの概略の構成を説明し、さらに、図５を用いてひげ持に貫通している溝部を設けたひげぜんまいの接着部の詳細な構成を説明する。
そして、第３の実施形態として、図６〜図８を用いて、ひげぜんまいの第１の製造方法を説明し、さらに図９を用いて、ひげぜんまいの第２の製造方法を説明し、さらに図１０と図１１とを用いて、ひげぜんまいの第３の製造方法を説明する。
【００４２】
なお、説明にあっては、必要部分のみを示す模式図とし、発明に関係のない部分は省略
している。また、同一の構成には同一の番号を付与するものとし、説明を省略する。
【実施例１】
【００４３】
［ひげぜんまいの構成の説明：図１、図２］
図１と図２とを用いてひげぜんまいの第１の実施形態を説明する。
図１は、ひげぜんまいを説明する平面図であり、図１（ａ）はひげぜんまいの全体を示し、図１（ｂ）はひげ持部分を拡大した様子を示している。図２は、ひげ持とぜんまい部を拡大した図面であって、図１に示す切断線Ａ−Ａ´における断面の様子を模式的に示す断面図である。
【００４４】
図１において、ひげぜんまい１は、中心部に図示しない回転軸体であるてん真と嵌合するための貫通孔３ａを有するひげ玉３と、貫通孔３ａを中心にしてひげ玉３に巻回されるように設計されたコイル形状のぜんまい部２と、ぜんまい部２の巻き終わりと接続しているひげ持４とから構成されている。ひげ持４には溝部７が形成されている。また、ぜんまい部２の巻き始めとひげ玉３とは接続部３ｂで接続している。
【００４５】
ひげぜんまい１は、材料としては、水晶、セラミックス、シリコン、シリコン酸化膜などを主成分とする材料から構成することができる。ひげぜんまい１の材料をシリコンとすれば、軽いひげぜんまいを構成できて便利である。
【００４６】
ひげぜんまい１を構成する材料がシリコンであるとすると、ひげぜんまい１の製造や加工に際して、シリコン半導体基板に対して行う深掘りＲＩＥ技術を用いることができ、半導体装置を製造する際と同様な公知の製造技術を用いることができる。
【００４７】
以後の説明にあっては、ひげぜんまい１の材料を、軽く加工しやすいという特徴を有するシリコンとする場合を例にして説明する。
【００４８】
上述のように、ひげぜんまい１は基材となるシリコン半導体基板をドライエッチングして形成するため、図１に示すように、ひげぜんまい１のぜんまい部２と、ひげ玉３と、ひげ持４とは、一体で形成されている。
【００４９】
上述の通り、ひげぜんまい１の全体を、図示しない回転軸体の軸方向から平面視したときの様子が図１（ａ）に示すものであり、図２は、切断線Ａ−Ａ´におけるひげ持４とぜんまい部２の２つの部分を拡大して示す断面図である。
【００５０】
ぜんまい部２は上述の通り一体で形成されており、ひげ玉３の周囲を巻回されているような形状を有している。切断線Ａ−Ａ´の部分は、ぜんまい部２の外周部分である。このぜんまい部２は上述のごとく１つの構造体であるが、図２に示すように、説明しやすいように断面で見たときのそれぞれの周回に当たる２つの部分に、ぜんまい腕２０ａ、２０ｂの名称を付与することにする。
【００５１】
図１（ａ）に示すように、ひげ持４の一平面４ａには、溝部７を構成する２本の溝部を設けている。この２本の溝部は７ａ、７ｂの番号を付与することにする。２本の溝部７ａ、７ｂは、平面視では同様の形状を有している。
【００５２】
図１（ａ）に示す溝部は、平面視でひげ持４部分の長手方向の距離と略等しいような形状を有しているが、もちろんその形状はこれに限定されない。それについては、図１（ｂ）を用いて後述する。
【００５３】
図１（ａ）、図２では、ひげ持４に平行に並べて配置された２本の溝部７ａ、７ｂを設
けた例を挙げたが、溝部の数は２本に限られるわけではなく、１本でも、３本以上でもかまわない。
また、複数の溝部７ａ、７ｂを設けた場合、必ずしも平行して配置される必要はなく、平面的に位置をずらすように配置してもよく、ひげ持４の一平面４ａ内であれば、自由に配置してかまわない。
【００５４】
また、溝部７ａ、７ｂは、ひげ持４の一平面４ａから見たときに、三角形や多角形、円形や楕円形などの形状を有するようにしてもよい。図１（ｂ）にその様子を示す。
図１（ｂ）は、溝部７の形状の例を５つ例示するものである。図形で構成される幾何学模様の例を３つ、文字の例を１つ、幾何学模様と文字とを組み合わせた例を１つ示している。
【００５５】
溝部７の形状における、幾何学模様の例は、溝部７が三角形である例、平行四辺形である例、円形と楕円形とを組み合わせた例を代表的な形状として示している。これら３例を組み合わせた形状でもよいことは無論である。また、この幾何学模様を特定の意味を有するマークや社章などとしてもよい。
【００５６】
溝部７の形状における、文字の例は、「Ａ−１−２」とし、形成する文字を例えば、型式番号や製造番号のようにひげぜんまい１の仕様などを示すような文字や、特定の意味ある文字などとすれば、組み立ての際などに目視等でそれらを認識できて便利である。
【００５７】
溝部７の形状における、幾何学模様と文字とを組み合わせた例は、複数の波形状と文字との組み合わせである。この文字の溝部は符号７０を付与しており、例示した文字は１文字の「Ａ」であるが、複数の文字で構成してもよいことは無論である。
【００５８】
また、溝部７と溝部７０とは、その溝の深さを異ならせてもよい。例えば、溝部７を浅く、溝部７０を深くしてもよい。溝部７０を型式番号や製造番号などの所定の情報用として用いるとき、溝部７０の深さを深くすることでより認識しやすくなる。
【００５９】
なお、深さの異なる溝部の形成にあっては、例えば、まず溝部７と溝部７０とを同じ深さになるようにエッチングして形成した後、溝部７を覆う耐エッチングマスクを施し、溝部７０が所定の深さになるようにさらにエッチングを行うなど、公知の手法を用いることができる。
【００６０】
また、詳しくは後述するが、溝部７は貫通していてもよいが、例えば、溝部７０は貫通させないようにしてもよく、もちろんその逆に、溝部７を貫通させず、溝部７０を貫通させてもよい。
【００６１】
また、後述するひげ持４を接着剤で他部品を接着する際に、幾何学模様の溝部７の部分に接着剤が入り込むようにし、溝部７０には接着剤が入り込まないように、接着剤を塗布してもよい。つまり、深さが浅い溝部７を接着用にし、深さが深い溝部７０を情報の認識用に用いることができる。もちろん、用いる接着剤の種類や粘性などにより、溝部に入り込む距離が決まるから、用いる接着剤の種類に応じて溝の深さを決める。
【００６２】
また、ひげぜんまい１は、その稼働時においては、図示しないてん真と嵌合する貫通孔３ａを中心にして伸縮運動をする。ひげ持４は図１には図示しない他部品であるひげ持固定部品に固定されているため、ひげぜんまい１の伸縮運動中は、ひげ持４はひげ玉３方向に引かれる力を受ける。
溝部７は、この力に抗うように、例えば、その力の方向と直交する方向に長い形状を有するような溝形状としてもよい。この場合は、ひげぜんまい１を組み付ける時計機構の形
状や仕様に鑑みて、予めその形状を決めるとよい。
また、溝部７は、
【００６３】
［ひげ持の接着部の説明：図３］
次に、ひげぜんまいのひげ持を接着剤で他部品を接着する構成を、図３を用いて説明する。
図３（ａ）は第１の実施形態によるひげぜんまい１の接着状態を示した図であり、図３（ｂ）は本発明をより詳しく説明するために用いる、知られている従来のひげぜんまいの接着状態を示した図である。なお説明にあっては、ひげ持と２つのぜんまい腕を示す断面を用いて説明する。なお、図３は、図２に示す部分と同等部分を示す図であるが、図３（ａ）は図２に対して図面上、上下が逆になっており、ひげ持４の一平面４ａは図面下側になっている。
【００６４】
図３（ａ）に示す本実施形態によるひげぜんまい１は、ひげぜんまい１のひげ持４の一平面４ａには２本の溝部７ａ、７ｂが設けてあり、またひげ持４に並ぶようにしてぜんまい腕は２０ａ、２０ｂが形成されている。ひげ持４の溝部７ａ、７ｂが形成される一平面４ａは、ひげぜんまいを固定するための部品であるひげ持固定部品６の接着面６ａに接着剤５を介して接着される。
【００６５】
図３（ｂ）に示す従来のひげぜんまいは、ひげ持４´は本実施形態のひげ持４に、ぜんまい腕２０ａ´、２０ｂ´は本実施形態のぜんまい腕２０ａ、２０ｂに、それぞれ対応する構成である。そして、ひげ持固定部品６の接着面６ａに接着剤５を介して接続される。
【００６６】
接着剤５にはフェノール樹脂とポリアミド樹脂を組み合わせた時計用接着剤が用いられることが多いが、エポキシ系の熱硬化性接着剤や一般にラックと呼ばれる昆虫から採取して得られる樹脂を主成分とした接着剤等を用いてもかまわない。
【００６７】
図３（ａ）に示す本実施形態のひげぜんまい１は、接着面であるひげ持４の一平面４ａに溝部７ａ、７ｂを設けているため、接着剤５は毛細管現象で溝部７ａ、７ｂに入り込むことができる。接着剤５が溝部７ａ、７ｂに入り込むことによって、ひげ持４はひげ持固定部品６の接着面６ａ側に引っ張られるので、ひげ持４の一平面４ａとひげ持固定部品６の接着面６ａとが位置ずれを起こさず、ひげ持固定部品６の所定の位置にひげ持４を接着することができる。
【００６８】
一方、図３（ｂ）に示す従来のひげぜんまいは、ひげ持４に溝部７ａ、７ｂを設けていないため、接着剤５がひげ持固定部品６の接着面６ｂ上にとどまらず横流れしてしまう。このため、接着剤５につられてひげ持４´が所定の位置からずれた位置に接着されてしまったり、傾いて接着されてしまったりする。
【００６９】
また、図３（ｂ）に示す従来のひげぜんまいの場合は、ひげ持固定部品６の接着面６ａに乗る接着剤の量の管理も重要であり、接着剤の量が多くなり過ぎるとひげ持４´がさらに傾いてしまうことがある。これはひげ持固定部品６の接着面６ａに盛られた接着剤の形状にも関係する。
いずれにしても、このような問題は、ひげ持と接着面５ａとの対向面がフラットであることが主な原因である。
【００７０】
以上のように、ひげぜんまい１は、ひげ持４の一平面４ａとひげ持固定部品６の接着面６ａとを傾斜せずに対向させて接着できるから、所定の位置に位置ずれなく接着できるので周囲の他部品と接触して破損する危険性が少ない。また、ひげぜんまい１がひげ持固定部品６に対して傾くことなく接着できるのでひげぜんまいに不要な応力がかからず、等時
性のあるひげぜんまいの伸縮にすることができ、設計通りの所望の振動数が得られやすい。
【００７１】
また、ひげ持４の一平面４ａに溝部７ａ、７ｂを設けることで、接着剤５との接触面積を広くすることができるので、接着強度が上がるという利点も有している。
そして、この溝部７ａ、７ｂに接着剤５が入り込むため、多少接着剤５の量が多少多くなっても、従来技術のようにひげ持４が傾いて接着されることはないという製造上の利点も有している。
【実施例２】
【００７２】
［ひげ持に貫通している溝を設けたひげぜんまいの構成の説明：図４］
図４を用いてひげぜんまいの第２の実施形態を説明する。
図４は、ひげ持に貫通している溝を設けたひげぜんまいのひげ持とぜんまい部を拡大した図面であり、図２に示す部分と同等部分を示す図である。なお、ひげぜんまいの平面形状は図１に示す平面形状と同様である。
【００７３】
図４に示すように、本実施形態のひげぜんまいのひげ持４には、一平面４ａから対向する他平面４ｂに向けて貫通している溝部１７を構成する、２本の溝部１７ａ、１７ｂが設けてある。
【００７４】
図４では、ひげ持４に平行に並べて配置された２本の貫通している溝部１７ａ、１７ｂを設けた例を挙げたが、溝部の数は２本に限られるわけではなく、１本でも、３本以上でもかまわない。
また、複数の貫通している溝部１７を設けた場合、必ずしも平行して配置される必要はなく、平面的に位置をずらすように配置してもよく、ひげ持４の一平面４ａ内であれば、自由に配置してかまわない。
【００７５】
また、貫通している溝部１７は、ひげ持４の一平面４ａから見たときに、三角形や多角形、円形や楕円形などの形状を有するようにしてもよい。
【００７６】
［ひげ持の接着部の説明：図５］
次に、本発明の貫通した溝部が設けられたひげ持を接着剤で他部品を接着する構成を、図５を用いて説明する。図５は第２の実施形態によるひげぜんまいの接着状態を示した図である。
【００７７】
図５に示すように、本実施形態のひげぜんまいのひげ持４には一平面４ａから対向する他平面４ｂに向けて貫通している２本の溝部１７が設けてあり、ひげ持４の貫通している溝部１７が形成されている一平面４ａは、ひげぜんまいを固定するための部品であるひげ持固定部品６の接着面６ａに接着剤５を介して接着される。
【００７８】
本実施形態のように、ひげ持４に形成される溝部１７が貫通していたとしても、接着剤５は毛細管現象で溝部１７に入り込む。接着剤５が溝部１７に入り込むことによって、ひげ持４はひげ持固定部品６の接着面６ａ側に引っ張られるので、位置ずれを起こさずにひげ持固定部品６の所定の位置にひげ持４を接着することができる。
【００７９】
また、溝部１７が貫通していると、以下のような利点も有する。
すなわち、溝部１７が貫通していると、ひげ持４の一平面４ａとひげ持固定部品６の接着面６ａとを対向させて位置あわせした後に、ひげ持４の他平面４ｂの方からに開口した溝部１７に向かって接着剤５を注入することができる。このようにすれば、接着剤５の量や滴下する場所などを確認しながら作業が進められるため、作業性が向上する。その結果
、生産に要するタクトタイムも短縮できるから生産性が向上し、時計のコストダウンに寄与できる。
【００８０】
なお、上記の説明では、ひげ持４の一平面４ａとひげ持固定部品６の接着面６ａとを対向させて接着する例を示したが、ひげ持４の他平面４ｂとひげ持固定部品６の接着面６ａとを接着するようにしてもよいことは無論である。
【実施例３】
【００８１】
次に、第３の実施形態としてひげぜんまいの製造方法について、工程図を用いて説明する。
第１の製造方法は、主に図６、図７を用いて説明する。第２の製造方法は、主に図８を用いて説明する。第３の製造方法は、主に図９を用いて説明する。第４の製造方法は、主に図１０を用いて説明する。
【００８２】
なお、製造方法はひげぜんまい全体を形成する技術であるが、本発明の特徴であるひげ持に設けた溝部を見やすくするために、ひげ持とぜんまい腕部分を拡大した図２の断面図を用いて説明する。したがって、説明にあっては適宜図１も参照されたい。また、ひげぜんまいの材料はシリコン、接着剤の材料はフェノール樹脂とポリアミド樹脂とを組み合わせた時計用接着剤を用いた例で説明する。
【００８３】
［第１の製造方法の説明：図３、図６、図７、図８］
まず、ひげぜんまいの第１の製造方法を説明する。
図６はひげぜんまいの第１の製造方法を説明する断面図であって、溝部を形成する工程までを説明する図である。図７はひげぜんまいの第１の製造方法を説明する断面図であって、ひげぜんまい形状を形成する工程までを説明する図である。図８はひげぜんまいの第１の製造方法を説明する断面図であって、ひげ持固定部品に接着する工程を説明する図である。
【００８４】
図６（ａ）に示すように、少なくともひげぜんまい１が取り出せる大きさの面積と厚みとを有するシリコンの基板２００を準備する。ひげぜんまいの生産性を考慮に入れれば、ひげぜんまい１が多数個取り出せる大きさの基板２００である方が好ましい。
【００８５】
次に、図６（ｂ）に示すように、基板２００に、ひげぜんまい１のひげ持４の溝部７ａ、７ｂを形成するために、この溝部に相当する部分が開口したマスク８を、一般に広く知られているフォトリソグラフィ技術で形成する。マスク８は、例えばシリコン酸化膜である。特に限定しないが、このマスク８は１μｍの膜厚で形成する。
【００８６】
そして、図６（ｃ）に示すように、処理時間を管理しながら混合ガス３０（ＳＦ６＋Ｃ４Ｆ８）を用いて、基板２００をＲＩＥ技術でドライエッチングすることにより、所定の幅と深さの溝部７ａ、７ｂが形成される。
【００８７】
その後に、マスク８のみを除去することで、図６（ｄ）に示すような溝部７ａ、７ｂが深掘りされた基板２００を得る。このマスク８の除去は、例えば、基板２００をフッ化水素酸を主成分とする公知のエッチング液に浸漬して行う。
【００８８】
なお、これら溝部７ａ、７ｂの深さをそれぞれ異ならせる場合には、例えば、この後、溝部７ａのみを覆う耐エッチングマスクを施し、溝部７ｂが所定の深さになるように、さらにエッチングを行えばよい。
【００８９】
次に、図７（ａ）に示すように、基板２００のぜんまい部２となるぜんまい腕２０ａ、
２０ｂの幅に相当する部分と、ひげ持４の幅に相当する部分（溝部は覆われている）を覆うようにマスク９を知られているフォトリソグラフィ技術で形成する。上述の通りこのマスク９は図示しないがひげぜんまい１の全体を形作る形状である。マスク９は、例えばシリコン酸化膜である。特に限定しないが、このマスク９は、基板２００の表面より２μｍの膜厚となるように形成する。
【００９０】
その後、図７（ｂ）に示すように、混合ガス３０（ＳＦ６＋Ｃ４Ｆ８）を用いて、基板２００を深掘りＲＩＥ技術でドライエッチングする。これにより、基板２００からぜんまい腕２０ａ、２０ｂおよびひげ持４を離断する。この状態では、図示はしないが、ひげぜんまい１は基板２００から独立して切り出されており、ひげ玉３の貫通孔３ａも貫通している。
【００９１】
その後に、マスク９のみを除去することで、図７（ｃ）に示すようにひげぜんまい１の形状を得る。このマスク９の除去は、例えば、基板２００をフッ化水素酸を主成分とする公知のエッチング液に浸漬して行う。
【００９２】
次に、ひげ持４をひげ持固定部品６に接着する方法について説明する。
まず、図８（ａ）に示すようにひげ持固定部品６の接着面６ａにディスペンサー１１から適量の接着剤５を滴下する。本実施形態では、接着剤５の滴下にエアパルス方式のディスペンサー１１を使用したが、メカニカル方式のディスペンサー１１であっても、チュービング方式のディスペンサー１１であってもよい。
【００９３】
その後、図８（ｂ）に示すように、接着剤５が滴下されたひげ持固定部品６の接着面６ａに、ひげ持４の一平面４ａを対向させた状態で、位置あわせしながら近づけ接触させる。
このとき、ひげぜんまい１全体を固定する治具などを用いて、ぜんまい部２が撓まないよう注意しながらひげぜんまい１をひげ持固定部品６に接近させて接触させるとよい。
【００９４】
すると図３（ａ）に示すように、ひげ持４の一平面４ａに設けた溝部７ａ、７ｂに接着剤５が毛細管力で吸い上げられる。この毛細管力は接着面６ａに対して垂直方向に働くので、接着剤５が接着面６ａの水平方向に流れる横流れ現象を抑えることができる。その結果、ひげ持４が接着剤５につられて移動してしまう位置ずれを防ぐことができ、ひげ持固定部品６の所定の位置にひげ持４を接着することができる。
【００９５】
接着剤５の硬化方法は接着剤５の種類によって異なるが、本実施形態で用いたフェノール樹脂とポリアミド樹脂とを組み合わせた時計用接着剤の場合、規定の温度と熱印加時間とにより熱硬化させればよい。
【００９６】
以上説明した第１の製造方法は、ひげ持４の一平面４ａに貫通しない溝部７ａ、７ｂを設け接着する手法であるが、この第１の製造方法を用いれば、図６（ｃ）に示す溝部７ａ、７ｂを深掘りする工程で処理時間を調整することで溝部７ａ、７ｂの深さを任意に調整することができる。溝部７ａ、７ｂ内に接着剤５が隙間無く充填される程度の深さにするのが望ましい。
【００９７】
また、この第１の製造方法によれば、ひげ持４の一平面４ａにだけ溝部７ａ、７ｂが形成されるので、ひげぜんまい１の接着する側の面を判別しやすいという利点もある。ひげ持４に溝部７ａ、７ｂが形成されている面側が接着される面であると、目視や光学手段を用いた公知の形状認識手段を用いて判別しやすくなるのである。そうすると、作業性が向上する。
【００９８】
［第２の製造方法の説明：図３、図９］
次に、第２の製造方法を説明する。
図９はひげぜんまいの第２の製造方法を説明する断面図であって、溝部を形成する工程を説明する図である。この製造方法は、ぜんまい腕２０ａ、２０ｂとひげ持４の形成と同時に溝部７ａ、７ｂも形成する製造方法である。この第２の製造方法を用いれば、製造工程を削減することができるため、生産性を向上したい場合に適している製造方法である。
【００９９】
まず、少なくともひげぜんまい１が取り出せる大きさの面積と厚みとを有するシリコンの基板２００を準備する。そして次に、図９（ａ）に示すように、基板２００のぜんまい部２となるぜんまい腕２０ａ、２０ｂの幅に相当する部分と、ひげ持４の幅に相当する部分が覆われるように、さらにひげぜんまい１のひげ持４の溝部７ａ、７ｂを形成するための溝部に相当する部分が開口したマスク１０を、一般に広く知られているフォトリソグラフィ技術で形成する。マスク１０は、例えばシリコン酸化膜である。特に限定しないが、このマスク１０は２μｍの膜厚で形成する。
【０１００】
なお、この第２の製造方法では、溝部に相当する部分の開口部の幅を狭く形成する点が特徴である。本実施形態では幅が１０μｍの溝部形状で開口部を形成した。
【０１０１】
その後、図９（ｂ）に示すように、混合ガス３０（ＳＦ６＋Ｃ４Ｆ８）を用いて、基板２００を深掘りＲＩＥ技術で、基板２００からぜんまい腕２０ａ、２０ｂおよびひげ持４が離断されるまでドライエッチングする。ドライエッチングの処理時間はぜんまい腕２０ａ、２０ｂおよびひげ持４が離断された直後に終了する程度の時間が望ましい。
【０１０２】
一方、処理が終了したその時点で１０μｍの幅で狭く開口させた溝部７ａ、７ｂの開口部では、エッチングレート（単位時間にエッチングされる速度）が遅いため、貫通せずに処理が終了する。なぜなら、溝部７ａ、７ｂの幅が狭いと混合ガスの供給が少なくなってしまう（溝部の底部までエッチングガスが到達しにくい）からである。
【０１０３】
本実施形態では、１００μｍの厚さの基板２００をエッチングしたところ、ぜんまい腕２０ａ、２０ｂおよびひげ持４が離断された時点で、溝部７ａ、７ｂは貫通せずに深さが９０μｍの溝形状で形成することができた。
【０１０４】
その後に、マスク１０のみを除去することで、ひげぜんまい１の形状を得る。このマスク１０の除去は、例えば、基板２００をフッ化水素酸を主成分とする公知のエッチング液に浸漬して行う。
【０１０５】
その後の接着工程は、すでに説明した第１の製造方法で示した方法と同様に、ひげ持固定部品６に接着するため、その説明は省略する。
【０１０６】
以上の製造方法によって、図３（ａ）と同等のひげ持４の一平面４ａに溝部７ａ、７ｂが形成され、ひげ持固定部品６の接着面６ａに接着された構造を得ることができる。
【０１０７】
なお、本第２の製造方法では、溝部７ａ、７ｂの幅を狭くすればするほど、エッチングレートは遅くなるので、溝部７ａ、７ｂの深さを浅くしたい場合には、溝部の幅を狭くすればよい。
【０１０８】
［第３の製造方法の説明：図５、図９、図１０、図１１］
次に、第３の製造方法を説明する。
図１０は、ひげぜんまいの第３の製造方法を説明する断面図であって、貫通している溝部を形成する工程を説明する図である。図１１は、ひげぜんまいの第３の製造方法を説明
する断面図であって、ひげ持固定部品に接着する工程を説明する図である。この製造方法は、第２の製造方法と同様に、製造工程を削減することができるため、生産性を向上したい場合に適しているというメリットがある。
【０１０９】
まず、少なくともひげぜんまい１が取り出せる大きさの面積と厚みとを有するシリコンの基板２００を準備する。そして次に、図９（ａ）に示す、すでに説明した第２の製造方法のように、基板２００のぜんまい部２となるぜんまい腕２０ａ、２０ｂの幅に相当する部分と、ひげ持４の幅に相当する部分が覆われるように、さらにひげぜんまい１のひげ持４の溝部１７ａ、１７ｂを形成するための溝部に相当する部分が開口したマスク１０を、一般に広く知られているフォトリソグラフィ技術で形成する。マスク１０は、例えばシリコン酸化膜である。特に限定しないが、このマスク８は２μｍの膜厚で形成する。
【０１１０】
なお、この第３の製造方法では溝部に相当する部分の開口部の幅は広い方が望ましい。溝部に相当する部分の開口部の幅が狭いと、後述の次工程でおこなうドライエッチング処理においてエッチングレートが遅くなってしまい、処理時間が長くなってしまうからである。本実施形態では、幅が２０μｍの溝部形状で開口部を形成した。
【０１１１】
その後、図１０に示すように、混合ガス３０（ＳＦ６＋Ｃ４Ｆ８）を用いて、基板２００を深掘りＲＩＥ技術で、基板２００からぜんまい腕２０ａ、２０ｂおよびひげ持４が離断され、同時に溝部１７ａ、１７ｂが貫通するまでドライエッチングする。
【０１１２】
その後に、マスク１０のみを除去することで、ひげぜんまい１の形状を得る。このマスク１０の除去は、例えば、基板２００をフッ化水素酸を主成分とする公知のエッチング液に浸漬して行う。
【０１１３】
次に、第３の製造方法におけるひげ持４をひげ持固定部品６に接着する方法について説明する。
【０１１４】
まず、図１１（ａ）に示すように、ひげ持固定部品６の接着面６ａに、ひげ持４の一平面４ａを対向させた状態で、ひげ持４をひげ持固定部品６の所定の位置に配置する。
【０１１５】
その後、図１１（ｂ）に示すように、ひげ持４の一平面４ａからひげ持４の接着面６ａとは対向していない他平面４ｂ側の溝部１７ａ、１７ｂの開口部に向かってディスペンサー１１により適量の接着剤５を滴下する。接着剤５の滴下は、図１１（ｂ）に示すように、ディスペンサー１１を移動させることによって溝部ごとにおこなう。本実施形態では、接着剤５の滴下にエアパルス方式のディスペンサー１１を使用したが、メカニカル方式のディスペンサー１１であっても、チュービング方式のディスペンサー１１であってもよい。
【０１１６】
溝部１７ａ、１７ｂに向かって滴下された接着剤５は毛細管現象によって溝部内に吸い込まれひげ持固定部品６の接着面６ａに到達し、図５に示すように、ひげ持４とひげ持固定部品６とが接着剤５によって固定される。本実施形態では、接着剤５としてフェノール樹脂とポリアミド樹脂とを組み合わせた時計用接着剤を用い、規定の温度と熱印加時間とにより熱硬化させた。
【０１１７】
以上説明した第３の製造方法を用いた場合、ひげ持４を所定の接着位置に位置合わせした後に接着するので、目視や光学手段を用いた公知の位置認識手段を用いて位置決めし易く、接着位置の精度を高くすることができる利点がある。その結果、より安定した接着が可能になる。
【０１１８】
以上説明した実施形態は、本発明を限定するものではなく、主旨を逸脱なければ変形も可能である。
【０１１９】
例えば、溝部は、ひげ持の一平面から側面まで延在するようにしてもよい。そうすると接着剤が側面の溝部にも回り込むようになると共に、ひげ持の表面積も増えるため、ひげ持固定部品とより強固に接着できる。
【０１２０】
また、ひげ持に貫通している溝部を設けた第２の実施形態にあっては、接着剤の滴下の際に、ひげ持や溝部の位置を認識し易くするため、平面視の溝部の形状を「＋」のようなマークの形状としてもよい。そうすると、目視や光学手段を用いた公知の形状認識手段を用いて、より判別しやすくなる。
【０１２１】
また、ひげ持ちの他平面にもさらに別の溝部を設けてもよい。つまり、ひげ持の一平面に貫通していない溝部を設け、他平面にも溝部を設けるのである。
その際、他平面に設ける溝部の形状を、例えば、幾何学模様や文字などからなる識別可能なものや、型式番号や製造番号のようなもの、特定の意味を有するマークや社章などとしておけば、ひげぜんまいをひげ持固定部品と接着した後でも、他平面側からひげぜんまいの仕様や特徴などを目視等で認識できて便利である。
【０１２２】
また、説明では、ひげ持にのみ溝部を設けている例を示したが、溝部をぜんまい腕まで延在させてもよい。そうすると、ぜんまい腕の断面は四角形から多角形になり、角部が増えることにより剛性が上がり、機械式時計に不測の衝撃が加わり、ひげぜんまいが他部品と接触してしまったとしても、それによる破壊を防止することができる。
【産業上の利用可能性】
【０１２３】
本発明は、機械式時計の調速機構において、ひげぜんまいを傾くことなく適正な位置に固定することができるから、信頼性が高く、安定した高い時計精度の機械式時計に好適である。
【符号の説明】
【０１２４】
１  ひげぜんまい
２  ぜんまい部
３  ひげ玉
３ａ  貫通孔
３ｂ  接続部
４  ひげ持
４ａ  一平面
４ｂ  他平面
５  接着剤
６  ひげ持固定部品
６ａ  接着面
７、７ａ、７ｂ、１７、１７ａ、１７ｂ、７０  溝部
８、９、１０  マスク
１１  ディスペンサー
２０ａ、２０ｂ  ぜんまい腕
３０  混合ガス
２００  基板
【図１】
2015179071.tif 000003
【図２】
2015179071.tif 000004
【図３】
2015179071.tif 000005
【図４】
2015179071.tif 000006
【図５】
2015179071.tif 000007
【図６】
2015179071.tif 000008
【図７】
2015179071.tif 000009
【図８】
2015179071.tif 000010
【図９】
2015179071.tif 000011
【図１０】
2015179071.tif 000012
【図１１】
2015179071.tif 000013